(57)【要約】【課題】限られた記憶容量の中で効率良く受信状態情報を記憶することが可能なデジタル放送受信装置を提供する。【解決手段】デジタル放送受信装置は、アンテナ１から受信したデジタル放送信号を選局するチューナ部２と、チューナ部２で選局されたデジタル放送信号に対し復調処理を施す復調処理部３とを備える。このデジタル放送受信装置は、さらに、復調処理部３での復調結果から、選局対象チャンネルのデジタル放送信号の受信状態が劣化したことを検出し、その劣化したデジタル放送信号の受信状態に関する受信状態情報を取得する受信状態情報取得手段４１と、受信状態情報取得手段４１で取得した受信状態情報を、日時の情報及び選局対象チャンネルを示す情報を含めて記憶する記憶手段４２とを有する。【選択図】図１
2009124235.tif 000002
【特許請求の範囲】
【請求項１】
アンテナから受信したデジタル放送信号を選局するチューナ部と、該チューナ部で選局されたデジタル放送信号に対し復調処理を施す復調処理部とを備えたデジタル放送受信装置であって、前記復調処理部での復調結果から、選局対象チャンネルのデジタル放送信号の受信状態が劣化したことを検出し、該劣化したデジタル放送信号の受信状態に関する受信状態情報を取得する受信状態情報取得手段と、該受信状態情報取得手段で取得した受信状態情報を、日時の情報及び前記選局対象チャンネルを示す情報を含めて記憶する記憶手段とを有することを特徴とするデジタル放送受信装置。
【請求項２】
請求項１に記載のデジタル放送受信装置において、前記受信状態情報取得手段は、ビット誤り率が所定値を超えたこと、誤り訂正が不可能であったこと、誤り訂正時に推定した前記アンテナで受信した電波のノイズに対する比が他の所定値を下回ること、のいずれかが検出されたとき、前記劣化したとして検出することを特徴とするデジタル放送受信装置。
【請求項３】
請求項１又は２に記載のデジタル放送受信装置において、前記記憶手段で記憶する前記受信状態情報は、前記復調処理時に前記選局対象チャンネルのデジタル放送信号が同調できたか否かを示す同調状態、前記復調処理時に行う自動ゲイン制御の制御値、ビット誤り率、及び、誤り訂正時に推定した前記アンテナで受信した電波に対するノイズの比を含むことを特徴とするデジタル放送受信装置。
【請求項４】
請求項１〜３のいずれか１項に記載のデジタル放送受信装置において、前記受信状態情報取得手段で前記選局対象チャンネルのデジタル放送信号の受信状態が劣化したことを検出して前記記憶手段で前記受信状態情報を記憶したときに、所定時間が経過するまで、前記記憶手段での前記受信状態情報の記憶を不可にする記憶制限手段を有することを特徴とするデジタル放送受信装置。
【請求項５】
請求項４に記載のデジタル放送受信装置において、前記記憶制限手段は、別のチャンネルが選局対象となった場合に前記所定時間が経過したとみなし、前記記憶手段での前記受信状態情報の記憶を可能にすることを特徴とするデジタル放送受信装置。
【請求項６】
請求項４に記載のデジタル放送受信装置において、前記記憶制限手段は、前記所定時間が経過するまで前記記憶手段での前記受信状態情報の記憶を不可にする処理を、チャンネル毎に独立した処理として実行することを特徴とするデジタル放送受信装置。
【請求項７】
請求項１〜６のいずれか１項に記載のデジタル放送受信装置において、前記記憶手段は、格納領域がチャンネル毎に予め割り当てられており、前記選局対象チャンネルに割り当てられた格納領域に、前記受信状態情報取得手段で取得した受信状態情報を、日時の情報及び前記選局対象チャンネルを示す情報を含めて記憶することを特徴とするデジタル放送受信装置。
【請求項８】
請求項７に記載のデジタル放送受信装置において、当該デジタル放送受信装置を操作するためのリモコンのワンタッチボタンとして設定されたチャンネルに対する格納領域を、他のチャンネル周波数に対する格納領域より多く割り当てることを特徴とするデジタル放送受信装置。
【発明の詳細な説明】
【技術分野】
【０００１】
本発明は、デジタル放送受信装置に関し、より詳細には、受信状態を記憶することが可能なデジタル放送受信装置に関する。
【背景技術】
【０００２】
デジタル放送の受信において、受信できない、映像が乱れるなどの受信障害を起こすことがある。このような受信障害を把握するための技術として、特許文献１には、現在受信している放送波の受信品質を時刻別の履歴（受信品質履歴）として格納する手段を備えた携帯型の放送受信装置が開示されている。この放送受信装置では、格納された受信品質履歴を表示するだけで、ユーザはユーザ自身の行動パターンと照らし合わせて、どの時間、どの場所で受信品質が良かったかを確認することが可能となる。
【０００３】
図４は、従来技術（特許文献１）の放送受信装置（携帯テレビ端末）で記憶された受信品質履歴を、画面に表示させた例を示す図である。ここで記憶された受信品質履歴は、ユーザによって選局操作又は録画が行われた場合に登録されたものである。登録する情報は、簡易情報５０及び詳細情報５１である。簡易情報５０は、チャンネル、日付、曜日、視聴又は録画を示す属性、開始時刻と終了時刻、視聴・録画時間を含む。詳細情報５１は、視聴開始から視聴終了までの一定間隔（ここでは１分毎）の受信品質（レベルやエラー率）を示す情報であり、視聴終了時刻から視聴開始時刻を引いた総視聴時間で実際に視聴できた時間を割って百分率で表した受信品質を示す情報である。
【特許文献１】特開２００７−１５０８１４号公報
【発明の開示】
【発明が解決しようとする課題】
【０００４】
ところで、デジタル放送を視聴しているユーザから、映らない等のクレームが発生し、後日、サービスマンが受信障害の原因調査を行っても症状が再現せず、調査できない場合がある。例えば、その不具合の発生頻度が低い場合や、一時的に天候が悪かったために発生していたような場合である。
【０００５】
過去に発生した受信障害の原因を調査するためには、受信環境（場所、天候等）によって受信状態は変化するため、受信状態を履歴として残す必要がある。しかしながら、デジタル放送受信装置において、特許文献１に記載のごとく単に一定の時間間隔で受信状態を記録していたのでは、記憶領域がそのデジタル放送受信装置の寿命内に一杯になってしまう。
【０００６】
また、記録済みの情報の中から古い順に削除し、常に新しい情報で更新することも考えられるが、時間が経過すると過去の情報が喩えそれが必要な情報であったとしても消去されてしまうため、サービスマン等が原因調査の際に原因が究明できない場合も生ずる。
【０００７】
本発明は、上述のごとき実状に鑑みてなされたものであり、限られた記憶容量の中で効率良く受信状態情報を記憶することが可能なデジタル放送受信装置を提供することを、その目的とする。
【課題を解決するための手段】
【０００８】
上述の課題を解決するために、本発明の第１の技術手段は、アンテナから受信したデジタル放送信号を選局するチューナ部と、該チューナ部で選局されたデジタル放送信号に対し復調処理を施す復調処理部とを備えたデジタル放送受信装置であって、前記復調処理部での復調結果から、選局対象チャンネルのデジタル放送信号の受信状態が劣化したことを検出し、該劣化したデジタル放送信号の受信状態に関する受信状態情報を取得する受信状態情報取得手段と、該受信状態情報取得手段で取得した受信状態情報を、日時の情報及び前記選局対象チャンネルを示す情報を含めて記憶する記憶手段とを有することを特徴としたものである。
【０００９】
第２の技術手段は、第１の技術手段において、前記受信状態情報取得手段は、ビット誤り率が所定値を超えたこと、誤り訂正が不可能であったこと、誤り訂正時に推定した前記アンテナで受信した電波のノイズに対する比が他の所定値を下回ること、のいずれかが検出されたとき、前記劣化したとして検出することを特徴としたものである。
【００１０】
第３の技術手段は、第１又は第２の技術手段において、前記記憶手段で記憶する前記受信状態情報は、前記復調処理時に前記選局対象チャンネルのデジタル放送信号が同調できたか否かを示す同調状態、前記復調処理時に行う自動ゲイン制御の制御値、ビット誤り率、及び、誤り訂正時に推定した前記アンテナで受信した電波に対するノイズの比を含むことを特徴としたものである。
【００１１】
第４の技術手段は、第１〜第３のいずれかの技術手段において、前記受信状態情報取得手段で前記選局対象チャンネルのデジタル放送信号の受信状態が劣化したことを検出して前記記憶手段で前記受信状態情報を記憶したときに、所定時間が経過するまで、前記記憶手段での前記受信状態情報の記憶を不可にする記憶制限手段を有することを特徴としたものである。
【００１２】
第５の技術手段は、第４の技術手段において、前記記憶制限手段は、別のチャンネルが選局対象となった場合に前記所定時間が経過したとみなし、前記記憶手段での前記受信状態情報の記憶を可能にすることを特徴としたものである。
【００１３】
第６の技術手段は、第４の技術手段において、前記記憶制限手段は、前記所定時間が経過するまで前記記憶手段での前記受信状態情報の記憶を不可にする処理を、チャンネル毎に独立した処理として実行することを特徴としたものである。
【００１４】
第７の技術手段は、第１〜第６のいずれかの技術手段において、前記記憶手段は、格納領域がチャンネル毎に予め割り当てられており、前記選局対象チャンネルに割り当てられた格納領域に、前記受信状態情報取得手段で取得した受信状態情報を、日時の情報及び前記選局対象チャンネルを示す情報を含めて記憶することを特徴としたものである。
【００１５】
第８の技術手段は、第７の技術手段において、当該デジタル放送受信装置を操作するためのリモコンのワンタッチボタンとして設定されたチャンネルに対する格納領域を、他のチャンネル周波数に対する格納領域より多く割り当てることを特徴としたものである。
【発明の効果】
【００１６】
本発明によれば、デジタル放送受信装置において、限られた記憶容量の中で効率良く受信状態情報を記憶することが可能となる。
【発明を実施するための最良の形態】
【００１７】
図１は、本発明の一実施形態に係るデジタル放送受信装置のハードウェア構成例を示すブロック図である。本発明に係るデジタル放送受信装置は、テレビ装置、レコーダ、ＳＴＢ（Set Top Box）等の様々なＡＶ機器に組み込むことができる。
【００１８】
本実施形態に係るデジタル放送受信装置は、アンテナ１に接続されたチューナ部２、復調処理部３、及び受信状態記憶部４を備える。チューナ部２、復調処理部３は、それぞれチューナＩＣ（Integrated Circuit）、復調ＩＣとして構成することもできる。また、受信状態記憶部４は、図示しないＣＰＵ（Central Processing Unit）等からなるメインの制御部の一部として組み込むこともできる。
【００１９】
チューナ部２は、アンテナ１から受信したデジタル放送信号を選局する。そのため、チューナ部２は、例えば、プリアンプ２０、ＲＦ（Radio Frequency）用の帯域通過フィルタ（Band-Pass Filter：ＢＰＦ）２１、ＲＦ用の可変利得アンプ（Variable Gain Amplifier：ＶＧＡ）２２、混合器（ミキサ）２３、局部発振器（oscillator：ＯＳＣ）２４、ＢＰＦ２５、ＩＦ（Intermediate Frequency）用アンプ２６、レベル検波回路２７、及び電圧制御アンプ２８で構成される。
【００２０】
プリアンプ２０は、アンテナ１で受信したデジタル放送信号を増幅し、ＢＰＦ２１へ出力する。ＢＰＦ２１は、このＲＦ信号に対し所定の周波数帯域のみを通過させ、ＶＧＡ２２へ出力する。ＶＧＡ２２は、この帯域通過したＲＦ信号の利得を可変増幅し、ミキサ２３に出力する。ミキサ２３は、ＶＧＡ２２から出力されたＲＦ信号に対しＯＳＣ２４から発振された周波数を混合し、ＲＦ信号をＩＦ信号に変換する。ＯＳＣ２４は、ユーザ操作等のチャンネル選局に応じて図示しない制御部から出力される選局制御信号を受信し、その選局制御信号に応じた周波数（選局チャンネルの周波数）にロックし、ロックした周波数を発振する。これにより、ミキサ２３は、ＶＧＡ２２から出力されたＲＦ信号を、選局制御信号に応じた周波数のＩＦ信号に変換できる。
【００２１】
ＢＰＦ２５は、ＢＰＦ２１より狭帯域を通過させるフィルタであり、ミキサ２３から出力されたＩＦ信号を帯域通過させる。ＢＰＦ２５で通過させる帯域はＯＳＣ２４の発振周波数を中心として予め定められた範囲とし、これによりＢＰＦ２５から出力されるＩＦ信号は選局制御信号に応じた周波数が含まれることにとなる。ＩＦ用アンプ２６は、ＢＰＦ２５から出力されたＩＦ信号を増幅し、復調処理部３へ出力すると共に、レベル検波回路２７へ出力する。レベル検波回路２７は、ＩＦ用アンプ２６で増幅後のＩＦ信号の信号レベルを検波し、電圧制御アンプ２８に出力する。電圧制御アンプ２８は、レベル検波回路２７から出力された信号レベルに応じて電圧を制御し、その電圧をＶＧＡ２２に供給する。ＶＧＡ２２はこの電圧によりＲＦ信号の利得を増幅する。
【００２２】
上述のごとくチューナ部２は、ユーザ操作によって選局指示が行われたとき、また視聴予約や録画予約の時間が到来したときに、チャンネル選局を行う。この選局でデジタル放送信号が受信できたか否か、或いは復調処理部３で復調できたか否かに拘わらず、その対象となったチャンネルを選局対象チャンネルと呼ぶ。
【００２３】
復調処理部３は、チューナ部２で選局され出力されたデジタル放送信号に対し、復調処理を施す。そのため、復調処理部３は、例えば、ＩＦ用の自動ゲイン制御（Automatic Gain Control：ＡＧＣ）回路、アナログ／デジタル変換器（Ａ／Ｄ）３２、復調回路３３、前方誤り訂正回路（Forward Error Correction：ＦＥＣ）３４で構成される。ＩＦ用のＡＧＣ回路は、ＩＦ用ＡＧＣ３５とＩＦ用アンプ３１とにより構成できる。
【００２４】
ＩＦ用ＡＧＣ３５は、ＩＦ用アンプ３１に対して復調回路３３での復調結果の利得をフィードバックさせる制御回路であり、チューナ部２から受信するＩＦ信号の増幅率を復調結果の利得が一定になるように決定し、決定した増幅率をＩＦ用アンプ３１に設定する。ＩＦ用アンプ３１は、ＩＦ用ＡＧＣ３５により設定された増幅率でＩＦ信号を増幅し、Ａ／Ｄ３２へ出力する。Ａ／Ｄ３２は、ＩＦ用アンプ３１から出力されたＩＦ信号をデジタル信号に変換し、復調回路３３に出力する。
【００２５】
復調回路３３は、入力されたデジタル信号を、放送局での変調方式に応じた復調方式で復調する。例えば地上デジタル放送の場合には、基本的にＱＰＳＫ（Quadrature Phase Shift Keying）、１６ＱＡＭ（Quadrature Amplitude Modulation）、及び６４ＱＡＭの３種類の変調方式で搬送波（キャリア）が変調され、逆フーリエ変換を含むＯＦＤＭ（Orthogonal Frequency Division Multiplex）方式で変調され伝送されている。従って、復調回路３３ではこれに対応したＯＦＤＭ復調処理が施される。また、復調回路３３に入力されるデジタル信号は、受信電波の強弱があってもＩＦ用ＡＧＣ３５及びＩＦ用アンプ３１より一定に制御されている。ＦＥＣ３４は、復調後のデジタル信号に対して前方誤り訂正を施し、訂正しきれないデジタル信号を除き、図示しない後段の回路へ出力する。
【００２６】
このようにして出力された復調後のデジタル信号は、図示しない構成により、映像信号、音声信号、及び制御信号に分離後、復号される。復号された映像信号は、各種映像信号処理が施され、ＯＳＤ（On Screen Display）画像が重畳された後、表示部で出力される。ＯＳＤ画像は、ユーザ操作があったときなど必要に応じて生成され、重畳される。また、復号された音声信号は、各種音声信号処理が施された後、スピーカに出力される。
【００２７】
本発明の主たる特徴としての受信状態記憶部４は、選局対象チャンネルに対する受信状態情報を、デジタル放送信号が劣化している場合のみ記憶する。そのため、受信状態記憶部４は、次の受信状態情報取得手段４１と記憶手段４２とを有する。
【００２８】
受信状態情報取得手段４１は、復調処理部３での復調結果から、選局対象チャンネルのデジタル放送信号の受信状態が劣化したことを検出する検出手段と、復調処理部３での復調結果から、その劣化したデジタル放送信号の受信状態に関する受信状態情報を取得する取得手段とで構成される。
【００２９】
受信状態情報取得手段４１における検出手段は、復調結果から、（I）ビット誤り率（Bit Error Rate：ＢＥＲ）が所定値Ｔｂを超えたこと、（II）ＦＥＣ３４にて誤り訂正が不可能であったこと、（III）ＦＥＣ３４で誤り訂正時に推定したＣ／Ｎ（Carrier to Noise ratio）が所定値Ｔｃを下回ること、を検出する。なお、Ｔｂとしては２×１０−４、Ｔｃは１５．０又は１７．０などと決めておけばよい。なお、Ｃ／Ｎは、アンテナ１で受信した電波のノイズに対する比である。そして、この検出手段は、上記（I）〜（III）のいずれかが検出されたとき、その選局対象チャンネルのデジタル放送信号の受信状態が劣化した状態であるとして検出する。
【００３０】
上記（I）の判定は、ＦＥＣ３４が、ＢＥＲを示す信号も生成して、必要に応じて内部メモリに記憶しておき、自発的に又は要求に応答して受信状態情報取得手段４１へ出力するように構成しておけばよい。上記（II）の判定に関し、ＦＥＣ３４で誤り訂正が不可能であった場合とは、ＦＥＣ３４で誤り訂正能力を超える符号誤りが検出され（誤り訂正不可能なキャリアが存在し）ＢＥＲが計算できなかった場合を指す。上記（II）の判定は、その旨を示す信号を生成し、必要に応じて内部メモリに記憶しておき、自発的に又は要求に応答して受信状態情報取得手段４１へ出力する。また、ＦＥＣ３４が、このようなときに一義的にＢＥＲがＴｂ（又はそれ以上の値）であることを示す信号を出力することで、上記（II）の判定を上記（I）の判定に組み込むこともできる。
【００３１】
また、上記（III）の判定は、ＦＥＣ３４が、Ｃ／Ｎを推定し、その推定結果を必要に応じて内部メモリに記憶しておき、自発的に又は要求に応じて受信状態情報取得手段４１へ出力するように構成しておけばよい。Ｃ／Ｎは、例えば、復調回路３３での復調処理時にフーリエ変換結果を複素平面の座標軸に逆マッピングしたとき、逆マッピングされた位置のずれから推定することができる。
【００３２】
受信状態情報取得手段４１における取得手段は、受信状態情報として、同調状態、自動利得制御の制御値、ＢＥＲ、及び誤り訂正時に推定したＣ／Ｎを含むことが好ましい。ＢＥＲ及びＣ／Ｎは検出手段で検出されるものと同じである。
【００３３】
また、同調状態とは、復調処理時に選局対象チャンネルのデジタル放送信号が同調できたか否かを示す情報である。例えば、復調回路３３において、フレーム同期やビット同期等の各種同期をとったときに、その同期がとれているか否かを示す情報を同調状態として、要求に応じて受信状態情報取得手段４１に出力するとよい。同調状態が同期無し（Ｕｎｌｏｃｋ）である場合にはＣ／Ｎは算出不可能となるため、受信障害の原因究明のために同期状態も記憶させておくことが好ましい。自動利得制御の制御値とは、ＡＧＣ３５がアンプ３１を制御する際の制御値であり、より具体的にはＡＧＣ３５がアンプ３１に対して設定する増幅率を指す。従って、ＡＧＣ３５がその増幅率を、要求に応じて受信状態情報取得手段４１に出力するとよい。ＡＧＣ３５の増幅率からは、受信状態の劣化を検出できるとは限らないため、上述の検出手段で増幅率の検出を行う必要は必ずしもないが、増幅率によって受信信号の電力の大きさを推定することができ、受信障害の原因究明のために増幅率も記憶させておくことが好ましい。
【００３４】
記憶手段４２は、不揮発性メモリ等でなり、受信状態情報取得手段４１で取得した受信状態情報を、日時の情報（日時情報）及び選局対象チャンネルを示す情報（チャンネル情報）を含めて記憶する。そして、受信状態情報は、取得された順で記憶していけばよい。なお、受信状態テーブル４３を用いた記憶方法は他の実施形態として後述する。
【００３５】
受信状態情報取得手段４１で取得した受信状態情報が同調状態、制御値（増幅率）、ＢＥＲ、Ｃ／Ｎを含む形態では、ここで記憶される受信状態情報も同じ情報を含むことになる。日時情報は、図示しない制御部から、或いは受信したデジタル放送信号から得ることができる。チャンネル情報は、図示しない制御部で選局制御信号を発したときにその選局対象チャンネルの番号や周波数などを制御部内のメモリに記憶しておくことで、それを読み出して得ることができる。
【００３６】
このように、本発明では、受信劣化した場合のみ受信状態情報を記録するため、使用する記憶領域が少なくて済む。従って、本発明によれば、過去に発生した受信障害の記録を効果的に残すことができ、サービスマン等がその原因を究明し易くなる。勿論、受信状態が劣化したときの受信状態情報を履歴として残しておくことで、仮にその後症状が発生しなくなった場合でも、記録した情報から原因を推定することができる。
【００３７】
そして、サービスマン等は推定した原因に基づき、次に例示するようにユーザに改善策を提案するか自身で改善することができる。例えば、ＡＧＣ３５の増幅率から受信電力が弱すぎると判断できる場合はブースタを挿入したり、分配を減らしたりするとよい。逆に、受信電力が強すぎると判断できる場合は、減衰器を挿入したり、ブースタを調整したりするとよい。また、増幅率で判断できる電力は問題ないがＣ／Ｎが劣化している場合は、信号品質が劣化しているため、ケーブルや接続を見直すとよい。同調していない場合は、アンテナ線が正常に入力されているかを確認するとよい。
【００３８】
図２は、図１のデジタル放送受信装置において実行される、受信状態情報の記憶処理の一例を説明するためのフロー図である。図２を参照して、上述のデジタル放送受信装置のより好ましい実施形態を説明する。
【００３９】
まず、復調処理部３が受信状態の劣化を検出し、その信号（割込信号と呼ぶ）を受信状態情報取得手段４１に出力する。割込信号を出力する際のトリガの例としては、（i）ＢＥＲがその閾値Ｔｂを超えたこと、（ii）ＦＥＣ３４で誤り訂正が不可能であったこと、（iii）ＦＥＣ３４で誤り訂正時に推定したＣ／Ｎがその閾値Ｔｃを下回ること、（iv）復調回路３３で同調できなかったこと、（v）自動利得制御の制御値（増幅率）がその閾値を超えたこと、などが挙げられる。上記（i）〜（v）の事象のうち少なくとも１つの事象が発生したときに、受信状態劣化として検出を行い、受信状態情報取得手段４１に割込信号を出力する。
【００４０】
また、上記（i）〜（v）の事象のうちトリガとするものは、少なくとも上記（i）〜（iii）であればよい。また、上記（I），（II）の判定について説明したように、上記（ii）の判定を上記（i）の判定に組み込むこともできる。
【００４１】
このような割込信号を受けた受信状態記憶部４側の処理を説明する。受信状態情報取得手段４１の検出手段が、復調処理部３からの割込信号を受けたことをもって、その選局対象チャンネルのデジタル放送信号が劣化した状態であると検出する（ステップＳ１）。
【００４２】
ステップＳ１に続き、受信状態情報取得手段４１の取得手段が、劣化した状態のデジタル放送信号に関する受信状態情報を復調処理部３から取得する（ステップＳ２）。ここで取得する受信状態情報は、上述したように同調状態、増幅率、ＢＥＲ、及びＣ／Ｎとする。処理の仕方によってはＢＥＲ及びＣ／Ｎは既にステップＳ１で取得済みとし、他の情報のみを取得すればよい。
【００４３】
次に、ステップＳ２で取得した受信状態情報に含まれる、ＢＥＲとＣ／Ｎとに基づき、受信状態情報取得手段４１の検出手段が、ＢＥＲがその閾値Ｔｂを超えるか、或いはＣ／Ｎがその閾値Ｔｃを下回るかを検出（判定）する（ステップＳ３）。ここで、ＢＥＲが生成できていない場合にも、ＢＥＲに対するこの条件を満たすものとして判定結果を出す。勿論、判定はＢＥＲ、Ｃ／Ｎのいずれを最初に実行してもよく、結果的に一方のみの判定で済む場合もある。
【００４４】
ステップＳ３の判定においては、上記（iv）又は（v）による割込信号であった場合、取得した受信状態情報からＢＥＲ、Ｃ／Ｎを判定すればよく、上記（i）〜（iii）による割込信号であった場合には、自動的にＹＥＳと判定されることとなる。
【００４５】
ステップＳ３でいずれにも該当しないときには処理を終了する。一方、ステップＳ３でいずれかに該当する場合には、受信状態記憶部４は、取得した受信状態情報を、日時情報及びチャンネル情報と共に記憶手段４２へ記憶する（ステップＳ５）。これにより、劣化した場合のみ受信状態情報を記憶することができる。なお、ステップＳ４，Ｓ７の処理を除いて説明しているが、これらの処理を加えた他の実施形態については後述する。
【００４６】
そして、劣化を検出して受信状態情報を記憶した後は、一定時間間隔で受信状態を監視して劣化状態の判定（ステップＳ３）及び受信状態情報の記憶（ステップＳ５）を実行する。より具体的には、ステップＳ５の後に、受信状態記憶部４が一定時間経過したか否かを判定し（ステップＳ６）、経過した段階でステップＳ２へ戻る。この一定時間としては、例えば３０秒、１分、５分などと短めに設定しておけばよい。これにより、受信状態が回復するまでの間、一定時間間隔で受信状態情報を記憶することができ、回復すれば処理を終了することができる。なお、この間、割込信号を無視すればよい。
【００４７】
また、受信状態が劣化した状態であるか否かは、選局対象チャンネルによって異なるため、上述した処理は、選局対象チャンネルが切り換えられた時点で終了するとよい。ステップＳ７の後にステップＳ２に戻ることで無視する割込信号を、そのチャンネルの割込信号のみとすることで、選局対象チャンネルが切り換えられた時点で一連の処理を一旦終了して新たな処理として実行することができる。これにより、劣化状態が回復するか、或いは他のチャンネルが選局されるかのいずれかを満たす間は、一定時間間隔で受信状態情報が記憶される。
【００４８】
また、図２の処理手順において、ステップＳ１の処理は無くてもよく、その第１の代替処理として、ステップＳ２，Ｓ６において、受信状態情報取得手段４１が、一定時間間隔で復調処理部３での受信状態を監視するポーリング処理を行い、上記（i）〜（iii）の事象のいずれかを検出し、検出したときにその検出値も含めた受信状態情報を取得してもよい。第１の代替処理の場合には、ステップＳ３で自動的にＹＥＳと判定されることとなるため、ステップＳ３の処理も省略し、常に記憶を実行しても記憶される受信状態情報は劣化した状態を示すもののみとなる。
【００４９】
また、図２の説明では、受信状態情報取得手段４１で、まず劣化した状態を検出し、検出されたときのみ、そのデジタル放送信号の受信状態情報を取得し、記憶した。しかし、第２の代替処理として、ステップＳ１の処理を省き、上記第１の代替処理と同じポーリング処理（一定時間間隔で復調処理部３での受信状態を監視するポーリング処理）を行ったときに、受信状態情報を全て取得しておき、取得した中で、ステップＳ３の判定により劣化したことを示す情報が含まれる受信状態情報のみを記憶手段４２に渡し、ステップＳ５で記憶手段４２で記憶するようにしてもよい。
【００５０】
次に、ステップＳ４，Ｓ７の処理を組み込んだ他の実施形態について説明する。この実施形態では、デジタル放送受信装置が次の記憶制限手段を有するものとする。記憶制限手段は、受信状態情報取得手段４１で選局対象チャンネルのデジタル放送信号の受信状態が劣化したことを検出し、その検出に基づき受信状態情報の記憶を記憶手段４２が実行したときに、所定時間（上記一定時間とは異なる時間）が経過するまで、記憶手段４２での受信状態情報の記憶を不可にする。
【００５１】
図２の処理例では、記録（記憶）を不可にする受信状態監視タイマにより、この記憶制限手段を実現している。この受信状態監視タイマは、例えば、記憶手段４２内に記憶を実行するか否かのフラグを記憶させることと、図示しない制御部のタイマとで実現できる。まず、ステップＳ６において、一定時間が経過したとき、受信状態記憶部４がこの受信状態監視タイマをＯＮにする（ステップＳ７）。ステップＳ７の後はステップＳ２に戻り、割込信号は無視する。
【００５２】
そして、ステップＳ３の判定（記憶するか否かの判定）の後、受信状態記憶部４が、受信状態監視タイマがＯＦＦとなったか否かをフラグを参照して判断し、ＯＦＦになっている場合のみステップＳ５へ進んで受信状態情報の記憶を実行する。未だＯＮであった場合にはステップＳ２へ戻ればよい。
【００５３】
この実施形態のごとき処理により、例えば２時間や４時間などと長めに設定した上記所定時間（すなわち受信状態監視タイマの設定時間）が経過するまでは、同じような劣化した状態を示す受信状態情報を重複して記録することを避けることができ、使用する記憶容量を減らすことができる。実際、受信劣化時に短い一定時間間隔で受信状態を記憶していると、記憶容量がフルになるまでの期間が短くなるだけでなく、記憶手段４２への書込み回数が非常に多くなり、デジタル放送受信装置が寿命を迎える前に記憶手段４２の書き換え寿命に達してしまうことも想定できるが、このようなことを防ぐことができる。
【００５４】
また、この実施形態のごとき保存方法を採用したとしても、少なくともタイマ設定前に劣化したことを示す受信状態情報が記憶されているため、後日、サービスマンが受信障害の原因調査を行うための情報としては十分である。また、この実施形態は、上述した第１及び第２の代替処理のいずれにも同様に適用できる。
【００５５】
また、一度受信状態を記憶した後、同じチャンネルでは上記所定時間が経過するまで喩え劣化状態であっても受信状態情報の記憶を実行せずに、異なるチャンネルの場合には受信状態情報の記憶を実行することが好ましい。
【００５６】
そのため、上述の記憶制限手段は、別のチャンネルが選局対象となった場合に上記所定時間が経過したとみなし、記憶手段４２での記憶を可能にすることが好ましい。例えば、ステップＳ７の後にステップＳ２に戻ることで無視する割込信号を、そのチャンネルの割込信号のみとし、他のチャンネルの割込信号を受信したときには一律に受信状態監視タイマをＯＦＦにするとよい。これにより、上述したように、選局対象チャンネルが切り換えられた時点で一連の処理を一旦終了して新たな処理として実行することができる。このような考えを上述の第１又は第２の代替処理に適用する場合には、ポーリング処理中に選局対象チャンネルが切り換えられたときに、ポーリング処理対象を切換後のチャンネルとし、受信状態監視タイマを一律にＯＦＦにするとよい。
【００５７】
また、この代替処理として、記憶制限手段は、「所定時間が経過するまで記憶手段４２での受信状態情報の記憶を不可にする」処理を、チャンネル毎に独立した処理として実行してもよい。この場合、受信状態監視タイマ（タイマ及びフラグ）をチャンネル毎に機能させればよい。例えば、ステップＳ４では、現在の選局対象チャンネルに対応する受信状態監視タイマ（フラグ）を参照すればよく、またステップＳ７では、現在の選局対象チャンネルに対応する受信状態監視タイマ（フラグ）をＯＮにすればよい。そして、ステップＳ１の割込信号は無視しなければよい。また上述の第１又は第２の代替処理に適用する場合には、ポーリング処理中に選局対象チャンネルが切り換えられたときに、ポーリング処理対象を切換後のチャンネルとすればよい。
【００５８】
この代替処理では、次のような効果も奏する。例えば、劣化した受信状態情報を記憶し受信状態監視タイマｘをＯＮした選局対象チャンネルＸから、チャンネルＹに切り換えられた後でも受信状態監視タイマｘはタイムアップにならない限りＯＮのままとなる。従って、受信状態監視タイマｘがタイムアップになってＯＦＦとなる前に、再度、チャンネルＸが選局されたときに劣化した状態であった場合にも、チャンネルＸに対応する受信状態情報を記憶しないで済む。
【００５９】
図３は、図１のデジタル放送受信装置で図２の記憶処理により記憶された受信状態情報の一例を示す図で、記憶された受信状態情報を表示させた画面表示例を示す図でもある。図３のごとき画面表示は、記憶された受信状態情報を読み出してＯＳＤ画像を生成し、重畳することで可能となる。
【００６０】
ステップＳ５での記憶時に、チャンネルに拘わらず順番に受信状態情報を記憶していったが、記憶手段４２は、受信状態情報の格納領域（記憶領域）をチャンネル毎に予め割り当てていてもよい。そして、記憶手段４２は、対応するチャンネルの格納領域に、受信状態情報取得手段４１で取得した受信状態情報を日時情報を含めて、その受信状態情報に対応する選局対象チャンネルに割り当てられた格納領域に記憶する。なお、チャンネル情報は格納領域のそれぞれに対応するためわざわざ記憶する必要はない。
【００６１】
例えば、図３で示すように、チャンネルを列として各受信状態情報（Ｄａｔａ１，２，・・・）を時系列で行に記憶する受信状態テーブル４３のフォーマットを、予め記憶手段４２に記憶しておき、記憶時にその受信状態テーブル４３の対応するチャンネルの格納領域に記憶していくとよい。図３の受信状態テーブル４３では、同調状態としてＬｏｃｋ／Ｕｎｌｏｃｋを記憶し、ＡＧＣの値、Ｃ／Ｎ値、ＢＥＲ値（誤り訂正不可能な場合には「−」）が日時と共に格納されていることがわかる。図示しない制御部が、この受信状態テーブル４３を読み出し、図３で示すようにＯＳＤ画像として生成して、表示部に画面表示させることもできる。
【００６２】
このように、チャンネル毎に格納領域を設け時系列で記録することで、順次古い情報から削除して常に新しいチャンネルの情報で更新していった場合でも、必要な情報が他のチャンネルの情報により上書きされるのを防ぐことができる。特に、或る受信不可又は劣化状態のチャンネルを視聴し続けると、そのチャンネルの受信状態情報で記憶領域が埋め尽くされてしまい、過去に視聴した他のチャンネルの情報が消されてしまうことも想定できるが、このような場合でも、チャンネル毎に格納領域を設けることで他のチャンネル情報によって消されずに済む。
【００６３】
また、ユーザによっては同じチャンネルを好んで視聴することがあり、そのような場合、格納領域をユーザの好みのチャンネルである程、多く割り当てるようにしてもよい。さらに、デジタル放送受信装置を操作するためのリモコンのワンタッチボタンとして設定されたチャンネルに対する格納領域を、他のチャンネルに対する格納領域より多く割り当ててもよい。また、チャンネル毎に格納領域を設定したとしても、或るチャンネルに対応する格納領域の残量が少なくなった時点で、残量が多いチャンネルの格納領域の一部を与えるように、再度割り当てを実行してもよい。
【００６４】
なお、ステップＳ５での記憶時に最初に説明したようにチャンネルに拘わらず順番に受信状態情報を記憶していった場合でも、ＯＳＤ画像を図３で示すように生成して表示させることもできる。
【図面の簡単な説明】
【００６５】
【図１】本発明の一実施形態に係るデジタル放送受信装置のハードウェア構成例を示すブロック図である。
【図２】図１のデジタル放送受信装置において実行される、受信状態情報の記憶処理の一例を説明するためのフロー図である。
【図３】図１のデジタル放送受信装置で図２の記憶処理により記憶された受信状態情報の一例を示す図で、記憶された受信状態情報を表示させた画面表示例を示す図でもある。
【図４】従来技術の放送受信装置で記憶された受信品質履歴を、画面に表示させた例を示す図である。
【符号の説明】
【００６６】
１…アンテナ、２…チューナ部、３…復調処理部、４…受信状態記憶部、２０…プリアンプ、２１…ＢＰＦ、２２…ＶＧＡ、２３…ミキサ、２４…ＯＳＣ、２５…ＢＰＦ、２６…ＩＦ用アンプ、２７…レベル検波回路、２８…電圧制御アンプ、３１…ＩＦ用アンプ、３２…Ａ／Ｄ、３３…復調回路、３４…ＩＦ用ＦＥＣ、３５…ＩＦ用ＡＧＣ、４１…受信状態情報取得手段、４２…記憶手段、４３…受信状態テーブル。
【図１】
2009124235.tif 000003
【図２】
2009124235.tif 000004
【図３】
2009124235.tif 000005
【図４】
2009124235.tif 000006